(57)【特許請求の範囲】
【請求項１】
表面及び裏面が所定の色彩で形成された平板状の本体と、
該本体の表面に取り付けられ、一方の面が前記本体の表面と同色であって、他方の面が前記本体の表面の色とは異なる色で形成された第１の７セグメント表示部と、
前記本体の裏面に取り付けられ、一方の面が前記本体の裏面と同色であって、他方の面が前記本体の裏面の色とは異なる色で形成され、前記第１の７セグメント表示部と表裏同一位置に配置された第２の７セグメント表示部とを具備し、
表裏同一の位置に配置されている第１の７セグメント表示部を構成する各セグメントと、第２の７セグメント表示部を構成する各セグメントとは、互いの長手方向の両端部において本体を貫通するスプリングによって連結されていることを特徴とする選手交代ボード。
【請求項２】
前記第１の７セグメント表示部及び前記第２のセグメント表示部を構成する各セグメントの長手方向の両端部には、長手方向に突出する留め具が設けられ、
該留め具にスプリングが取り付けられていることを特徴とする請求項１記載の選手交代ボード。
【発明の詳細な説明】
【技術分野】
【０００１】
本発明は試合の途中で選手が交代する際に、交代する選手の番号を知らせるためのボードに関する。
【背景技術】
【０００２】
例えばサッカーの試合においては、試合途中での選手交代時には、退場する選手の背番号及び入場する選手の背番号を、選手や観客に知らせる必要がある。
そこで、選手の背番号を表示する選手交代ボードが従来より存在している。
【０００３】
例えば、選手交代ボードとしては、電光表示式のものが良く知られている。例えば、特許文献１や特許文献２に開示されているような従来の選手交代ボードは、複数のＬＥＤを、２桁の数字が表示できるように７セグメント状に配列した表示部を２つ設けている。表示部による表示は、制御部によって制御可能であり、操作者の手元のスイッチでＬＥＤの点灯を制御することができる。このように、電光表示式の選手交代ボードによれば、選手の背番号を簡単に表示させることができる。  
【０００４】
なお、電光表示式の選手交代ボード以外に、スコアボードも数字を試合中に入れ換えるものである。スコアボードとしては、マグネット式で数字を入れ換える物が知られている（特許文献３参照）。
【先行技術文献】
【特許文献】
【０００５】
【特許文献１】特開平１１−１３７７６４号公報
【特許文献２】特開２０００−１９４３３８号公報
【特許文献３】特開２００５−８７５８２号公報
【発明の概要】
【発明が解決しようとする課題】
【０００６】
上述したような電光表示式の選手交代ボードによれば、スイッチを操作するだけで数字を変えることができるので、楽な操作ができる。一方で、ＬＥＤ、電池、制御回路など電光表示用の様々な部品を組み込まなくてはならないため、値段も高くなり、また非常に重量が重くなっていて持つのが大変であるという課題があった。
【０００７】
なお、マグネット式のものであると、電光表示式と比較すれば低コストであって、軽量ではある。しかし、マグネットの強さによっては試合途中で数字が外れてしまうことも多いという課題があった。さらには、使用していない保管中に数字が外れて紛失してしまうおそれもあった。
【０００８】
そこで本発明は上記課題を解決すべくなされ、その目的とするところは、軽量、低コストであって、且つ数字が外れない選手交代ボードを提供することにある。
【課題を解決するための手段】
【０００９】
本発明に係る選手交代ボードによれば、表面及び裏面が所定の色彩で形成された平板状の本体と、該本体の表面に取り付けられ、一方の面が前記本体の表面と同色であって、他方の面が前記本体の表面の色とは異なる色で形成された第１の７セグメント表示部と、前記本体の裏面に取り付けられ、一方の面が前記本体の裏面と同色であって、他方の面が前記本体の裏面の色とは異なる色で形成され、前記第１の７セグメント表示部と表裏同一位置に配置された第２の７セグメント表示部とを具備し、表裏同一の位置に配置されている第１の７セグメント表示部を構成する各セグメントと、第２の７セグメント表示部を構成する各セグメントとは、互いの長手方向の両端部において本体を貫通するスプリングによって連結されていることを特徴としている。
この構成を採用することによって、本体の表面側の各セグメント及び裏面側の各セグメントはスプリングによって本体を挟んで連結されている。したがって、マグネット式のように、各セグメントが落下してしまうことがない。数字を変更する場合には、セグメントの長手方向を中心として各セグメントを回転させ（ひっくり返し）、セグメントの表面又は裏面を表示させるようにすることで、０〜９までの各数字を表現できる。このため、従来のようにＬＥＤ、電源、制御回路等が不要であり、軽量且つ低コストな選手交代ボードを提供できる。
【００１０】
また、前記第１の７セグメント表示部及び前記第２のセグメント表示部を構成する各セグメントの長手方向の両端部には、長手方向に突出する留め具が設けられ、該留め具にスプリングが取り付けられていることを特徴としてもよい。
【発明の効果】
【００１１】
本発明にかかる選手交代ボードによれば、軽量、低コストであって、且つ数字が外れないようにすることができる。
【図面の簡単な説明】
【００１２】
【図１】選手交代ボードの正面図である。
【図２】図１の一部断面図である。
【図３】セグメントをひっくり返す所を示す説明図である。
【図４】数字の表示例を示す説明図である。
【発明を実施するための形態】
【００１３】
以下本発明に係る選手交代ボードの好適な実施の形態を添付図面を参照して詳細に説明する。
図１に示すように、選手交代ボード２０は７セグメント表示部によって数字を表示できるようにしている。この選手交代ボード２０は、７セグメント表示部を構成する各セグメントをひっくり返すことにより、ひっくり返していないセグメントと異なる色として数字を表示できるものである。
また、図１では、選手交代ボード２０の表面側のみを表示しているが、裏面側も全く同じ構成となっているので、裏面側の正面図は省略する。
【００１４】
選手交代ボード２０は、平板状の本体２４と、正面側に設けられた第１の７セグメント表示部２２と、裏面側に設けられた第２の７セグメント表示部２３（図示せず）とを備えている。
第１のセグメント表示部２２と第２のセグメント表示部２３とは、表裏同一位置となるように配置されている。したがって、本体２４を表面と裏面でひっくり返したとしても、各セグメント表示部を構成するセグメントは同じ位置に表れる。
【００１５】
本体２４は、全体が黒色で塗装されており、数字が明確になるようにしている。また、本体の下方には、操作者が手で持つための、棒状の取っ手２６が設けられている。平板状の本体２４と取っ手２６とは、元々一体に設けられていても良いし、別体になっているものをネジ、釘、接着剤等の何らかの固定手段で固定したものでもよい。
【００１６】
７セグメント表示部とは、０から９までのアラビア数字を、ａ、ｂ、ｃ、ｄ、ｅ、ｆ、ｇの７つのセグメントによって表せるようにしたものであり、表示装置としては従来より公知のものである。
【００１７】
なお、第１の７セグメント表示部２２、及び第２の７セグメント表示部２３は、本体２４に対して、それぞれ横方向に２つ並列して設けられている。したがって、各７セグメント表示部によって２桁の数字を表示することができる。
ただし、本発明としては、表示できる数字は２桁の数字に限定するものではなく、各７セグメント表示部を３つ以上並列させ、３桁以上の数字を表示できるようにしてもよい。
【００１８】
本実施形態における第１の７セグメント表示部２２及び第２のセグメント表示部２３は、黒色の樹脂材料（具体的にはＡＢＳ）を所定形状に成形加工することによって作られている。第１の７セグメント表示部２２及び第２のセグメント表示部２３の一方の面は、樹脂材料の地色そのままの黒色である。また、第１の７セグメント表示部２２の他方の面には、蛍光イエローのカッティングシートを貼り付けてある。第２のセグメント表示部２３の他方の面には、蛍光オレンジのカッティングシートを貼り付けてある。ただし、各７セグメント表示部の面の色は、カッティングシートを貼り付けることによるものには限定せず、例えば塗装によるものであってもよい。
【００１９】
各セグメント２２ａ〜２２ｇは、長尺な八角形状に形成されており、長手方向の両端部には、留め具２８が設けられている。留め具２８は、例えば金属製の棒状の部材である。留め具２８の先端部は、鉤状に形成されたスプリング３２（後述する）の端部の抜け止めとして大径のフランジ部が形成されている。
このように、スプリング３２の鉤状の端部が留め具２８先端付近に引っかけられているので、セグメントをひっくり返す場合であってもスプリング３２が捩れることはない。
【００２０】
図２に選手交代ボードの一部断面図を示す。ここでは、例として第１の７セグメント表示部２２のセグメント２２ａと第２の７セグメント表示部２３のセグメント２３ａについて図示している。
第１の７セグメント表示部２２及び裏面側の第２のセグメント表示部２３は、表裏同一位置に配置されている各セグメント同士が、スプリング３２を介して連結されている。ここでは各７セグメント表示部２２，２３を構成する各セグメント２２ａ、２３ａは、平板状の本体２４を挟み込むようにして、スプリング３２の牽引力によって互いに本体２４側に引っ張られて取り付けられている。
【００２１】
各スプリング３２は、本体２４の表面から裏面にかけて貫通した貫通穴３４内に配置される。スプリング３２の長さは、各セグメントが本体２４から緩まないように、取り付け時に各セグメントを本体側に引っ張ることができる程度の長さが好ましい。
スプリング３２の一端側は、本体２４の表面側の第１のセグメント表示部２２を構成するセグメント２２ａの留め具２８に固定される。スプリング３２の他端側は、本体２４の裏面側の第２のセグメント表示部２３を構成するセグメント２３ａの留め具２８に固定される。
【００２２】
図３にセグメントをひっくり返すところを示す。
所定の数字を表示するには、所定箇所のセグメントをひっくり返し、数字が表れる部位のセグメントを本体２４の色とは異なる色にする必要がある。かかる場合には、スプリング３２を引っ張ることによって、ひっくり返すことができる。
【００２３】
図４に、数字を表示した例を示す。ここでは、左側の第１のセグメント表示部２２の２２ａ，２２ｂ，２２ｃ，２２ｄ，２２ｇを他方の面にして「３」という数字を表し、右側の第１のセグメント表示部２２の２２ｂ，２２ｃを他方の面にして「１」という数字を表している。
なお、図４では、黒く見えているところが実際には蛍光イエローであり、他の部位は実際には黒色である。
【００２４】
また、第１のセグメント表示部２２と独立して、第１のセグメント表示部２２と異なる数字を、第２のセグメント表示部２３で表すことができるため、選手交代時には、第１のセグメント表示部２２には退場する選手の背番号を表示させ、第２のセグメント表示部２３には入場する選手の背番号を表示させることができる。
【００２５】
なお、本体の色、第１の７セグメント表示部の色及び第２の７セグメント表示部の色については、上述した実施形態に限定されるものではなく、種々の色を採用することができる。
【符号の説明】
【００２６】
２０  選手交代ボード
２２  第１の７セグメント表示部
２３  第２の７セグメント表示部
２４  本体
２６  取っ手
２８  留め具
３２  スプリング
３４  貫通穴
【図１】
0005279874.tif 000002
【図２】
0005279874.tif 000003
【図３】
0005279874.tif 000004
【図４】
0005279874.tif 000005